(57)【要約】【課題】搬送部材のチェーンに対する脱着作業の作業効率を高める手段を提供する。【解決手段】ボルト保持具Ａは、搬送部材４３をチェーン４２に対して脱着する際に用いられる。ボルト保持具Ａは、夫々の搬送部材４３において、複数のボルトＢを、同時に回り止めした状態で保持する保持部６１と、フランジ部及び搬送部材４３の少なくとも一方に連結される連結部６３と、を備える。【選択図】図７
2020100478.tif 000002
【特許請求の範囲】
【請求項１】
互いに平行な状態で駆動輪体と従動輪体とに巻回された無端状の複数のチェーンと、前記チェーンの延び方向に沿って間隔を空けて配置され、前記チェーンの延び方向と直交する状態で前記複数のチェーンに亘って架け渡された複数の搬送部材と、前記複数のチェーン及び前記搬送部材を収容するケースと、を有し、かつ、前記搬送部材が夫々の前記チェーンに設けられたフランジ部に対して複数のボルトによって固定され、かつ、前記ケースに投入された収穫作物の全稈を前記搬送部材によって搬送する搬送装置用の治具であって、
前記搬送部材を前記チェーンに対して脱着する際に用いられ、
夫々の前記搬送部材において、前記複数のボルトを、同時に回り止めした状態で保持する保持部と、
前記フランジ部及び前記搬送部材の少なくとも一方に連結される連結部と、を備える治具。
【請求項２】
前記連結部は磁石を備え、
前記連結部は、前記磁石の磁力によって前記フランジ部及び前記搬送部材の少なくとも一方に連結される請求項１に記載の治具。
【請求項３】
前記保持部及び前記連結部は、同一面側に備えられ、
前記連結部は、前記保持部に対して前記フランジ部の厚さよりも大きく突出しており、
前記連結部と前記保持部とによって形成される段差部に、前記フランジ部が嵌り込み可能である請求項１又は２に記載の治具。
【請求項４】
前記フランジ部が前記チェーンに対して左右両側に設けられた搬送装置に用いられ、
前記フランジ部及び前記搬送部材の少なくとも一方に前記連結部を連結した際に前記チェーンを挟むように、左右に離間した状態で設けられた右ユニット及び左ユニットと、
前記右ユニットと左ユニットとを連結支持する支持ユニットと、を備え、
前記右ユニット及び前記左ユニットの夫々が、前記保持部及び前記連結部を備えている請求項１から３のいずれか１項に記載の治具。
【発明の詳細な説明】
【技術分野】
【０００１】
本発明は、搬送部材をチェーンに対して脱着する際に用いられる治具に関する。
【背景技術】
【０００２】
特許文献１には、フィーダを備えた普通型コンバインが記載されている。フィーダは、スプロケットとドラムとに巻回された一対のチェーンと、一対のチェーンに亘って架け渡された複数の搬送部材と、チェーン及び搬送部材を収容するケースとを備えている。搬送部材は、チェーンの各々に設けられたフランジ部に対して複数のボルトによって固定されている。フィーダは、ケースに投入された収穫作物の全稈を搬送部材によって搬送する。
【先行技術文献】
【特許文献】
【０００３】
【特許文献１】特開２０１７−１５３４１３号公報
【発明の概要】
【発明が解決しようとする課題】
【０００４】
フィーダの製造やメンテナンスを行うときには、搬送部材をチェーンに対して着脱する必要があり、その際には複数のボルトの締めつけ・緩めを行うことになる。スパナ、レンチ、ドライバ等の従来の工具は、１つのボルトのみを対象として締め付け、緩め、回り止めを行うものである。従って、搬送部材の着脱の為には、１つの工具で何度も作業を行うか、複数の工具を用いる必要がある。加えて、工具が脱落しないよう手で支える必要もある。これらの点で、搬送部材のチェーンに対する脱着作業には改善の余地があった。
があった。
【０００５】
本発明の目的は、搬送部材のチェーンに対する脱着作業の作業効率を高める手段を提供することにある。
【課題を解決するための手段】
【０００６】
本発明の治具は、互いに平行な状態で駆動輪体と従動輪体とに巻回された無端状の複数のチェーンと、前記チェーンの延び方向に沿って間隔を空けて配置され、前記チェーンの延び方向と直交する状態で前記複数のチェーンに亘って架け渡された複数の搬送部材と、前記複数のチェーン及び前記搬送部材を収容するケースと、を有し、かつ、前記搬送部材が夫々の前記チェーンに設けられたフランジ部に対して複数のボルトによって固定され、かつ、前記ケースに投入された収穫作物の全稈を前記搬送部材によって搬送する搬送装置用の治具であって、前記搬送部材を前記チェーンに対して脱着する際に用いられ、夫々の前記搬送部材において、前記複数のボルトを、同時に回り止めした状態で保持する保持部と、前記フランジ部及び前記搬送部材の少なくとも一方に連結される連結部と、を備えることを特徴とする。
【０００７】
上記の特徴構成によれば、保持部が複数のボルトを同時に回り止めした状態で保持するので、搬送部材をフランジ部に固定する複数のボルトに対して着脱の作業を効率的に行うことができる。また、連結部がフランジ部又は搬送部材の少なくとも一方に連結されるので、治具がフランジ部又は搬送部材に支持されて手で支える必要が無くなり、作業がし易くなる。従って、搬送部材のチェーンに対する脱着作業の作業効率を高めることができる。
【０００８】
本発明において、前記連結部は磁石を備え、前記連結部は、前記磁石の磁力によって前記フランジ部及び前記搬送部材の少なくとも一方に連結されると好適である。
【０００９】
この特徴構成によれば、簡易な構成で治具をフランジ部又は搬送部材に支持させることが可能となり、加えてフランジ部又は搬送部材からの治具の着脱も容易になる。従って、搬送部材のチェーンに対する脱着作業の作業効率を更に高めることができる。
【００１０】
本発明において、前記保持部及び前記連結部は、同一面側に備えられ、前記連結部は、前記保持部に対して前記フランジ部の厚さよりも大きく突出しており、前記連結部と前記保持部とによって形成される段差部に、前記フランジ部が嵌り込み可能であると好適である。
【００１１】
この特徴構成によれば、段差部にフランジ部が嵌まり込んだ状態であっても、保持部に対して突出した連結部が搬送部材と接触することが可能となるので、治具が確実に支持されて、搬送部材のチェーンに対する脱着作業の作業効率を更に高めることができる。
【００１２】
本発明において、前記フランジ部が前記チェーンに対して左右両側に設けられた搬送装置に用いられ、前記フランジ部及び前記搬送部材の少なくとも一方に前記連結部を連結した際に前記チェーンを挟むように、左右に離間した状態で設けられた右ユニット及び左ユニットと、前記右ユニットと左ユニットとを連結支持する支持ユニットと、を備え、前記右ユニット及び前記左ユニットの夫々が、前記保持部及び前記連結部を備えていると好適である。
【００１３】
この特徴構成によれば、右ユニットによりチェーンの右側においてボルトの保持とフランジ部又は搬送部材への連結を行い、左ユニットによりチェーンの左側においてボルトの保持とフランジ部又は搬送部材への連結を行うことができる。つまり、治具を確実に支持させつつ、１つの治具でチェーンの左右両側のフランジ部に対してボルトの着脱の作業を行うことができ、搬送部材のチェーンに対する脱着作業の作業効率を更に高めることができる。
【図面の簡単な説明】
【００１４】
【図１】コンバインの左側面図である。
【図２】フィーダの左側面視断面図である。
【図３】フィーダの上面視断面図である。
【図４】ボルト保持具の平面図である。
【図５】ボルト保持具の右側面図である。
【図６】ボルト保持具の後面図である。
【図７】フィーダチェーンの組み立て手順を示す図である。
【図８】フィーダチェーンの組み立て手順を示す図である。
【図９】フィーダチェーンの組み立て手順を示す図である。
【発明を実施するための形態】
【００１５】
以下に本発明の実施の形態を図面に基づいて説明する。本発明に係るボルト保持具Ａ（「治具」の一例）は、収穫機のフィーダ６（「搬送装置」の一例）用の治具であって、搬送部材４３をチェーン４２に対して脱着する際に用いられる。フィーダ６は、互いに平行な状態でスプロケット３９（「駆動輪体」の一例）とドラム４１（「従動輪体」の一例）とに巻回された無端状の複数のチェーン４２と、チェーン４２の延び方向に沿って間隔を空けて配置され、チェーン４２の延び方向と直交する状態で複数のチェーン４２に亘って架け渡された複数の搬送部材４３と、複数のチェーン４２及び搬送部材４３を収容するケース３７と、を有し、かつ、搬送部材４３が夫々のチェーン４２に設けられたフランジ部ｆに対して複数の六角ボルトＢ（「ボルト」の一例）によって固定され、かつ、ケース３７に投入された収穫作物の全稈を搬送部材４３によって搬送する。
【００１６】
まず、収穫機について説明する。図１には、収穫機の一例である普通型コンバインが示されている。普通型コンバインでは、左右一対のクローラ走行装置１を備えた走行機体２に、軸流型の脱穀装置３と穀粒貯留用の穀粒タンク４が左右に並列して配備されている。
【００１７】
穀粒タンク４の前方には
、運転部５が配備されている。
脱穀装置３の前部に横軸芯周りに上下揺動自在に刈取穀稈搬送用のフィーダ６が連結され、このフィーダ６の前端に、略機体横幅に相当する刈幅を有する刈取部７が連結されている。フィーダ６は、刈取部７によって刈り取られた収穫作物の全稈を脱穀装置３へ搬送する。
【００１８】
刈取部７の前部上方には、植立した作物を後方に掻き込む回転リール８が装備されている。また、穀粒タンク４に貯留されている穀粒を外部に排出する穀粒排出装置９が備えられている。
【００１９】
運転部５における運転座席１０の下方にエンジン１１が搭載され、機体前部下方にミッションケース１２が備えられている。また、ミッションケース１２の上部横側に静油圧式無段変速装置にて構成される主変速装置（不図示）が備えられている。
【００２０】
刈取部７は、角パイプや断面Ｌ字形のアングル材等を連結して構成される刈取部フレーム２７に、背面を形成する背板２８、底面を形成する搬送デッキ２９、左右側面を形成する左右一対の側板３０のそれぞれを連結して取り付け固定した枠組み構造体を構成している。
搬送デッキ２９の前端に沿って左右の側板３０に亘ってバリカン型の刈取装置３２が配備されている。また、左右の側板３０に亘って、刈取穀稈を機体横幅方向中間側に向けて寄せ集め搬送する横送りオーガ３３が架設され、フィーダ６の前端入口に刈取穀稈を供給できるように構成されている。
【００２１】
図１〜３に示すように、フィーダ６は、角筒状に形成されたケース３７と、そのケース３７の内部で、搬送方向での後端部側に、走行機体２の左右方向に沿った横軸芯Ｘ１周りに回転駆動可能な状態に備えられた駆動軸３８と、駆動軸３８に横軸芯Ｘ１方向に間隔をあけて備えられた一対のスプロケット３９と、ケース３７における搬送方向での前端部側に、横軸芯Ｘ２周りに回転可能な状態で支持されているドラム４１と、各スプロケット３９とドラム４１との間に掛け回されているフィーダチェーンＦと、フィーダチェーンＦの張力を調整可能な張力調整機構４４と、を備えている。
【００２２】
フィーダチェーンＦは、一対の無端状のチェーン４２と、複数の搬送部材４３とを備えている。チェーン４２は、互いに平行な状態でスプロケット３９とドラム４１とに巻回される。搬送部材４３は、チェーン４２の延び方向に沿って間隔を空けて配置され、チェーン４２の延び方向（前後方向）と直交する状態で一対のチェーン４２に亘って架け渡される。搬送部材４３は、断面がＵ字状である鉄製の長板状の部材である。
【００２３】
搬送部材４３は、夫々のチェーン４２に設けられたフランジ部ｆに対して複数の六角ボルトＢによって固定される。本実施形態では、フランジ部ｆは、チェーン４２に対して左右両側に設けられている。フランジ部ｆは、１つのボルト穴を備えている。チェーン４２の右側において、フランジ部ｆと搬送部材４３とが１つの六角ボルトＢ及びナットにより固定され、チェーン４２の左側において、フランジ部ｆと搬送部材４３とが１つの六角ボルトＢ及びナットにより固定される。すなわち、１つの搬送部材４３が２つの六角ボルトＢ及び２つのナットによってフランジ部ｆに対して固定される。
【００２４】
エンジン１１からの動力が駆動軸３８に伝達され、それに伴って駆動軸３８と共に一対のスプロケット３９が回転することで、チェーン４２が回転駆動される。チェーン４２の回転に伴って、搬送部材４３が搬送方向に沿って移動し、刈取穀稈を搬送することができる。
【００２５】
〔ボルト保持具〕
図４、図５，図６に示されるように、ボルト保持具Ａは、右ユニット５１と、左ユニット５２と、支持ユニット５３とを備えている。右ユニット５１及び左ユニット５２はそれぞれ、保持部６１と、ハンドル６２と、連結部６３とを備えている。連結部６３は磁石６４を備えている。以下、図４−６に示す［Ｆ］の方向がボルト保持具Ａの「前側」、［Ｂ］の方向がボルト保持具Ａの「後側」、［Ｌ］の方向がボルト保持具Ａの「左側」、［Ｒ］の方向がボルト保持具Ａの［右側］と定義して説明する。
【００２６】
右ユニット５１と左ユニット５２とは、ボルト保持具Ａを用いて搬送部材４３をチェーン４２に対して脱着する際にチェーン４２を挟むように、左右に離間した状態で設けられている。右ユニット５１と左ユニット５２とは、間に空間Ｓを設けて互いに離間した状態で、支持ユニット５３により連結されている。支持ユニット５３は、丸棒状の部材である。支持ユニット５３の右端部は、右ユニット５１の後面に固定されており、支持ユニット５３の左端部は、左ユニット５２の後面に固定されている。支持ユニット５３の中間部は、上方斜め後方に湾曲している。
【００２７】
右ユニット５１及び左ユニット５２は、中空の角筒状の部材であって、中心軸が左右方向を向く姿勢にて配置されている。１つの保持部６１が、上下方向に延びる軸の周りに回転揺動可能な状態で、右ユニット５１における左側部分に配置されている。ハンドル６２は、保持部６１に固定されている。ハンドル６２は、保持部６１と共に右ユニット５１に対して回転揺動可能である。１つの連結部６３が、右ユニット５１における右側部分に配置されている。保持部６１と連結部６３とが、左右方向に並んだ状態で、右ユニット５１に支持されている。
【００２８】
左ユニット５２は、右ユニット５１と左右対称の形状である。すなわち、１つの保持部６１が、左ユニット５２における右側部分に配置されている。１つの連結部６３が、左ユニット５２における左側部分に配置されている。
【００２９】
保持部６１は、円筒状の部材であって、中心軸が上下方向を向く姿勢にて配置されている。保持部６１の上面に、六角ボルトＢの頭部を挿入可能な六角柱状の挿入口６１ａが形成されている。すなわち、１つの保持部６１は１つの六角ボルトＢを回り止めした状態で保持する。
【００３０】
連結部６３は、ボルトとナットを右ユニット５１（又は左ユニット５２）の上壁部を挟んで螺合させて形成されている。連結部６３の上面に、磁石６４が埋め込まれている。連結部６３は、磁石６４の磁力によって鉄製の搬送部材４３に吸着可能に構成されている。つまり連結部６３は、磁石６４の磁力によって搬送部材４３に連結される。
【００３１】
保持部６１の挿入口６１ａと、連結部６３の磁石６４とは、共に右ユニット５１及び左ユニット５２における上面側に備えられている。そして、連結部６３の上面は、保持部６１の上面よりも上方に位置している。連結部６３の上面と保持部６１の上面との距離は、フィーダチェーンＦのフランジ部ｆの厚さよりも大きい。すなわち、連結部６３は、保持部６１に対してフランジ部ｆの厚さよりも大きく突出している。これにより、図９に示されるように、連結部６３の上面と保持部６１の上面とによって形成される段差部Ｄに、フランジ部ｆが嵌まり込み可能である。また、保持部６１の左右方向の幅は、フランジ部ｆの幅よりも大きい。
【００３２】
〔フィーダチェーンの組み立て〕
図７、図８、図９を参照して、ボルト保持具Ａを用いたフィーダチェーンＦの組み立て手順について説明する。組み立てには、ボルト保持具Ａに加えて、チェーン保持具Ｃが用いられる。チェーン保持具Ｃは、回転可能な軸７１に支持された一対のスプロケット７２を備えている。
【００３３】
まず、チェーン保持具Ｃに一対のチェーン４２を保持させる。詳しくは、一対のチェーン４２の間でフランジ部ｆの位置が揃った状態で、チェーン４２を一対のスプロケット７２に保持させる。
【００３４】
次に、図８に示されるように、搬送部材４３をチェーン４２のフランジ部ｆの上に載置する。２本の六角ボルトＢをボルト保持具Ａの２つの保持部６１に保持させる。
【００３５】
続いて、ハンドル６２を持って、ボルト保持具Ａをフランジ部ｆへ下方から近づけて、六角ボルトＢをフランジ部ｆ及び搬送部材４３のボルト穴に挿入する。ボルト保持具Ａが搬送部材４３に接近すると、連結部６３の磁石６４が搬送部材４３を磁力で吸着して、２つの連結部６３が搬送部材４３に連結される。これにより、２本の六角ボルトＢが回り止めされた状態で、ボルト保持具Ａがフランジ部ｆ及び搬送部材４３の下面に吸着する。作業者がハンドル６２から手を離しても、磁石６４の磁力によってボルト保持具Ａが搬送部材４３に支持されているので、六角ボルトＢがフランジ部ｆ及び搬送部材４３の穴から抜け落ちることはない。図８に示されるように、右ユニット５１がチェーン４２よりも右側に位置し、左ユニット５２がチェーン４２よりも左側に位置する。換言すれば、右ユニット５１及び左ユニット５２がチェーン４２を挟んで配置され、空間Ｓにチェーン４２が位置する。
【００３６】
そして、搬送部材４３の上方からナットを六角ボルトＢのネジ部に螺合させて、搬送部材４３をフランジ部ｆに固定する。ハンドル６２を持ってボルト保持具Ａを下方へ引き下げ、搬送部材４３から離間させる。
【００３７】
以上の工程により、搬送部材４３がチェーン４２に装着される。これらの工程を繰り返すことにより、複数の搬送部材４３がチェーン４２に装着され、フィーダチェーンＦが組み立てられる。なお逆の手順により、搬送部材４３をチェーン４２から外すことができる。
【００３８】
以上説明した、ボルト保持具Ａとチェーン保持具Ｃとを用いたチェーン４２に対する搬送部材４３の装着及び取り外しは、フィーダ６の製造時の他、フィーダ６のメンテナンス時にも行われる。フィーダ６のメンテナンスの際は、フィーダ６のケース３７の天板に設けられた点検口からフィーダチェーンＦを取り出して作業を行う。
【００３９】
〔他の実施形態〕
〔１〕上記実施形態では、フィーダ６の外部でチェーン保持具Ｃを用いてフィーダチェーンＦが組み立てられる例が説明された。フィーダ６に装着された状態、すなわちケース３７の内部にある状態のフィーダチェーンＦに対してボルト保持具Ａを用いて、搬送部材４３をチェーン４２に対して脱着することも可能である。その際は、フィーダ６のケース３７の天板に設けられた点検口からボルト保持具Ａを挿入して、搬送部材４３の取り外し・装着を行う。
【００４０】
〔２〕上記実施形態では、保持部６１が六角ボルトＢの頭部を挿入可能な六角柱状の挿入口６１ａを備える例が説明された。保持部６１が、他の形状のボルトの頭部を保持可能なように構成されてもよい。例えば、六角穴付きボルト、プラスネジ、マイナスネジの頭部を保持可能なように保持部６１が構成されてもよい。
【００４１】
〔３〕上記実施形態では、連結部６３が磁石６４を備え、磁力によって搬送部材４３と連結される例が説明された。連結部６３が他の方法によって搬送部材４３と連結されてもよい。例えば、連結部６３が吸盤、あるいはフック等の係合部材により搬送部材４３と連結されてもよい。
【００４２】
〔４〕上記実施形態では、連結部６３は、保持部６１に対してフランジ部ｆの厚さよりも大きく突出し、連結部６３の上面と保持部６１の上面とによって形成される段差部Ｄに、フランジ部ｆが嵌まり込み可能である例が説明された。連結部６３の上面と保持部６１の上面との位置関係はこれに限られず、両者が面一であってもよいし、保持部６１が連結部６３に対して突出してもよい。
【００４３】
〔５〕上記実施形態では、右ユニット５１と左ユニット５２とがそれぞれ、１つずつの保持部６１及び連結部６３を備える例が説明された。右ユニット５１と左ユニット５２とが、２つ以上の保持部６１及び連結部６３を備えてもよい。また保持部６１及び連結部６３は同数でなくてもよい。
【００４４】
〔６〕上記実施形態では、ボルト保持具Ａが右ユニット５１と左ユニット５２とを備え、右ユニット５１及び左ユニット５２がチェーン４２を挟んで配置される例が説明された。ボルト保持具Ａが単一のユニットにより構成され、チェーン４２の右側又は左側に配置されてもよい。
【００４５】
〔７〕上記実施形態では、フィーダチェーンＦが一対のチェーン４２を備える例が説明されたが、チェーン４２の本数は３本以上でもよい。
【符号の説明】
【００４６】
６      ：フィーダ（搬送装置）
３７    ：ケース
３９    ：スプロケット（駆動輪体）
４１    ：ドラム（従動輪体）
４２    ：チェーン
４３    ：搬送部材
５１    ：右ユニット
５２    ：左ユニット
５３    ：支持ユニット
６１    ：保持部
６３    ：連結部
６４    ：磁石
Ａ      ：ボルト保持具（治具）
Ｂ      ：六角ボルト（ボルト）
Ｄ      ：段差部
ｆ      ：フランジ部
【図１】
2020100478.tif 000003
【図２】
2020100478.tif 000004
【図３】
2020100478.tif 000005
【図４】
2020100478.tif 000006
【図５】
2020100478.tif 000007
【図６】
2020100478.tif 000008
【図７】
2020100478.tif 000009
【図８】
2020100478.tif 000010
【図９】
2020100478.tif 000011